(57)【特許請求の範囲】
【請求項１】
傷病者に宛がわれるマスク部材（１０）と、そのマスク部材（１０）に取付けられる連結部材（３０）とを備え、
前記マスク部材（１０）は可撓性を有する素材で形成されて、傷病者の口周辺に宛がわれる宛がい部（１２）と、傷病者の口内に挿入されるよう前記宛がい部（１２）の表面側に突出して設けた突出部（１３）と、その突出部（１３）の先端に開口して設けられ前記突出部（１３）内及び前記宛がい部（１２）を表裏に貫通する通気孔（１１）と、その通気孔（１１）の内面から通気孔（１１）内に突出するように設けた弁体片（１４）とを可撓性を有する素材からなる一体の部材で有し、前記連結部材（３０）は、その内部に筒軸方向に貫通する導入通気孔（３１）を設けた筒状部材（３２）と、その導入通気孔（３１）の筒軸方向一端に設けられた弁座部（３４）とを有し、
前記連結部材（３０）の筒軸方向一端が、前記マスク部材（１０）における前記通気孔（１１）の裏面側開口から前記通気孔（１１）内に嵌めて固定されることで、前記導入通気孔（３１）と前記通気孔（１１）とは連通しており、前記弁体片（１４）が前記弁座部（３４）の傷病者側に向く面に接離可能となって、その接離により、救護者側から傷病者側への呼気の流れのみを許容する逆止弁として機能し、
前記筒状部材（３２）の外面の前記弁座部（３４）よりも筒軸方向他端側の部分及び前記通気孔（１１）の内面の前記弁体片（１４）よりも筒軸方向他端側の部分のうち、一方に凸部（３３）を、他方に凹部（１６）を有し、前記凸部（３３）が前記凹部（１６）に入り込むことで、前記連結部材（３０）と前記マスク部材（１０）とが抜け止めされて、前記弁体片（１４）が前記弁座部（３４）に接離可能に、前記連結部材（３０）の筒軸方向他端が前記宛がい部（１２）の裏面から救護者側に突出した状態に固定されていることを特徴とする人工呼吸用補助具。
【発明の詳細な説明】
【技術分野】
【０００１】
この発明は、人工呼吸法として行われている口対口の呼気吹き込みによる人工呼吸（マウスツーマウス人工呼吸）を行うに際し、救護者の口が傷病者（患者）の口に直接触れないようにする人工呼吸用補助具に関するものである。
【背景技術】
【０００２】
呼吸停止、心臓停止、又はこれに近い状態に陥った傷病者を救助するために、心肺蘇生法が用いられる。
【０００３】
心肺蘇生法による救助は、傷病者の鼻孔を手で塞いで、救護者の口を傷病者の口に当て、傷病者の気道内に呼気を直接吹き込むマウスツーマウス人工呼吸を施すことで行い、さらに、心臓停止の場合は心臓マッサージを併用する。
【０００４】
このマウスツーマウス人工呼吸は、救護者の口が傷病者の口に直接触れるため、仮に、傷病者が伝染性の疾患を伴っている場合に、救護者がその疾患に感染してしまう恐れがある。
【０００５】
このため、救護者の口と傷病者の口とが直接触れないように、その傷病者の口の周辺を覆う人工呼吸用補助具が、各種提案されている。
【０００６】
例えば、特許文献１に記載された人工呼吸用補助具は、傷病者の口の周囲に被せられる柔軟なシートからなるマスク部材の中央に、その傷病者の口の中に入り込むマウスピース部が設けられている。そのマウスピース部は、シート状の前記マスク部材を挟んで、救護者側から傷病者側に向かって貫通する空気通路を備える。この空気通路を介して、呼気の吹き込みが行われる。
【０００７】
また、そのマウスピース部の空気通路の途中には、逆止弁が設けられている。その逆止弁によって、救護者側から傷病者側への呼気の流入を許容しつつ、傷病者側から救護者側への空気や異物等の逆流を阻止するようになっている（例えば、特許文献１参照）。
【０００８】
また、特許文献２，３には、人工呼吸用補助具の前記マウスピース部を複数の部材に分割し、その分割された部材同士を嵌め合う際に、その部材間に、シート状の前記マスク部材の縁や、逆止弁の弁体を構成するためのシートを嵌め込んで固定する技術が開示されている（例えば、特許文献２，３参照）。
【０００９】
また、図９に示す人工呼吸用補助具のように、マスク部材と弁体とを、連続する一枚のシートで構成したものもある（例えば、特許文献４参照）。
【先行技術文献】
【特許文献】
【００１０】
【特許文献１】実開平７−３１０５６号公報
【特許文献２】特開２００６−３４６２３７号公報
【特許文献３】特開２００３−３１０７７４号公報
【特許文献４】実開平７−１７２４９号公報
【発明の概要】
【発明が解決しようとする課題】
【００１１】
従来の人工呼吸用補助具では、複数の部材に分割されたマウスピース部に対し、傷病者の口の周辺に宛がわれるシート状のマスク部材や逆止弁用の弁体を、その分割された部材間に挟み込んで固定する必要がある。
【００１２】
この固定に際し、マウスピース部を構成するための複数の部材と、シート状のマスク部材や弁体との組み立てが容易ではない。マウスピース部を構成するための部材は、マスク部材や弁体の抜け止めとしてそれを押さえつけるピンや段部を備えており、その構成が複雑であるとともに、そのピンや段部との正確な位置合わせを行わなければならないからである。
【００１３】
また、これらのマウスピース部、マスク部材、逆止弁用の弁体等は、外部からの引張り等により互いに外れたり、あるいは破れたりすることを防止する必要があり、それに対応するためには部品が大型化し、また、シート状のマスク部材や弁体を押さえつける前記ピンや段部を備える必要があるなど、その構造が複雑になりがちである。
【００１４】
そこで、この発明は、人工呼吸用補助具の部品構成を簡素化し、その組み立てを容易にすることを課題とする。
【課題を解決するための手段】
【００１５】
上記の課題を解決するために、この発明は、傷病者に宛がわれるマスク部材と、そのマスク部材に取付けられる連結部材とを備え、前記マスク部材は可撓性を有する素材で形成されて、傷病者の口周辺に宛がわれる宛がい部と、傷病者の口内に挿入されるよう前記宛がい部の表面側に突出して設けた突出部と、その突出部に開口して設けられ前記宛がい部を表裏に貫通する通気孔と、その通気孔内に突出するように設けた弁体片とを有し、前記連結部材は、その内部に筒軸方向に貫通する導入通気孔を設けた筒状部材と、その導入通気孔の端部又は途中に設けられた弁座部とを有し、前記連結部材の筒軸方向一端が、前記マスク部材における前記通気孔の裏面側開口に嵌めて固定されることで、前記導入通気孔と前記通気孔とは連通しており、前記弁体片が前記弁座部の傷病者側に向く面に接離可能となって、その接離により、救護者側から傷病者側への呼気の流れのみを許容する逆止弁として機能することを特徴とする人工呼吸用補助具とした。
【００１６】
連結部材は筒軸方向に貫通する導入通気孔を有し、救護者は、その連結部材の筒軸方向他端を口に入れて、一端側に向かって呼気を吹き込むことができる。そして、マスク部材は通気孔を有し、導入通気孔からの呼気は、その通気孔を通じて傷病者の口から肺へ送り込まれる。
この発明では、傷病者に宛がわれるマスク部材を可撓性を有する部材で構成したので、そのマスク部材と連結部材との接続が簡単である。すなわち、マスク部材を弾性変形させながら、連結部材の一端に嵌め込み固定できるからである。また、逆止弁を構成するための弁体片はマスク部材に一体であり、その弁体は、連結部材の嵌め込みによって自然と弁座部に対する位置が決まるから、この点においても組み立てが容易である。
さらに、傷病者に宛がわれるマスク部材を可撓性を有する部材で構成したことから、宛がい部は、傷病者の口周辺の皮膚にぴったりとフィットし、その密着によって呼気の漏れを生じさせにくくなるという効果も期待できる。
【００１７】
以上のように、本構成によれば、人工呼吸用補助具の部品構成を簡素化し、その組み立てを容易にできる。なお、可撓性を有する部材としては、ゴムや軟質の樹脂などが挙げられる。
【００１８】
この構成において、前記連結部材は、前記筒状部材の外面に凸部を有し、前記マスク部材は、前記通気孔の内面に凹部を有し、前記凸部が前記凹部に入り込むことで、前記連結部材と前記マスク部材とが抜け止めされている構成を採用することができる。
【００１９】
マスク部材を可撓性を有する部材で構成したので、マスク部材を連結部材の一端に嵌め込み固定する際に、マスク部材は弾性変形が可能であるから、このような凸部と凹部による係合が容易に可能である。
【００２０】
なお、この係合に係る凸部と凹部は、相互に係合可能なように、マスク部材と連結部材とに少なくとも１組設けられていればよく、その箇所数は限定されない。また、凸部を連結部材の筒状部材の外面全周に連続的に設け、凹部をマスク部材の通気孔の内面全周に連続的に設けてもよい。
【００２１】
また、凸部と凹部を逆にし、前記連結部材は、前記筒状部材の外面に凹部を有し、前記マスク部材は、前記通気孔の内面に凸部を有し、前記凸部が前記凹部に入り込むことで、前記連結部材と前記マスク部材とが抜け止めされている構成を採用することもできる。
【発明の効果】
【００２２】
この発明は、人工呼吸用補助具の部品構成を簡素化し、その組み立てを容易にすることができる。
【図面の簡単な説明】
【００２３】
【図１】この発明の一実施形態を示し、（ａ）は正面図、（ｂ）は斜視図、（ｃ）は（ｂ）を長手方向に沿って切断した図
【図２】同実施形態を示し、（ａ）は分解斜視図、（ｂ）は（ａ）を長手方向に沿って切断した図
【図３】同実施形態を示し、（ａ）はマスク部材と連結部材とを接続する前の状態を示す断面図、（ｂ）はマスク部材と連結部材とを接続した状態を示す断面図
【図４】マスク部材の詳細を示し、（ａ）は平面図、（ｂ）は正面図、（ｃ）は（ａ）のＣ−Ｃ断面図、（ｄ）は底面図、（ｅ）は斜視図、（ｆ）は底面側から見た斜視図
【図５】連結部材の詳細を示し、（ａ）は平面図、（ｂ）は（ａ）のＢ−Ｂ断面図、（ｃ）は（ａ）のＣ−Ｃ断面図、（ｄ）は斜視図
【図６】同実施形態の作用を示し、（ａ）は救護者側から傷病者側に呼気を吹き込んだ際の状態を示す断面図、（ｂ）は傷病者側から救護者側への空気等の逆流を阻止している状態を示す断面図
【図７】同実施形態の変形例を示し、（ａ）はマスク部材と連結部材とを接続する前の状態を示す断面図、（ｂ）はマスク部材と連結部材とを接続した後の状態を示す断面図、（ｃ）は（ｂ）の底面図、（ｄ）は連結部材と弁体との位置関係を示す一部切断した斜視図
【図８】人工呼吸用補助具の使用状態を示す説明図
【図９】従来例の断面図
【発明を実施するための形態】
【００２４】
この発明の一実施形態を、図１乃至図６に基づいて説明する。この実施形態は、救護者が傷病者（患者）に対して口対口の呼気吹き込みによる人工呼吸（マウスツーマウス人工呼吸）を行う際に使用する人工呼吸用補助具４０である。
【００２５】
人工呼吸用補助具４０の構成は、図１及び図２に示すように、傷病者に宛がわれるマスク部材１０と、そのマスク部材１０に取り付けられる連結部材３０とで構成される。
【００２６】
マスク部材１０は、図４に示すように、傷病者の口周辺に宛がわれるシート状の宛がい部１２と、傷病者の口内に挿入されるよう宛がい部１２の表面側に突出して設けた突出部１３とを備える。突出部１３は、平面視楕円形状を成す宛がい部１２の中央から、表面側（使用時における傷病者側）に向かって突出している。突出部１３は、その外形が平面視長方形である角筒状である。この突出部１３の角筒の長手方向が、傷病者の口の幅方向に向くように使用される。
【００２７】
その角筒状の突出部１３の内側は、救護者が吹き込んだ呼気が通過する通気孔１１となっている。通気孔１１は、表面側においては突出部１３の先端に開口し、裏面側においては宛がい部１２の裏面に開口する。すなわち、通気孔１１は、宛がい部１２を表裏に貫通する。
【００２８】
この実施形態では、マスク部材１０は、可撓性を有する素材であるゴムで形成されている。なお、これを、可撓性を有する軟質の樹脂で形成してもよい。
【００２９】
また、その通気孔１１内には、対の弁体片１４，１４が対向して設けられている。各弁体片１４は平面視長方形状を成し、その長辺の方向に沿って、すなわち、根元部１４ａから先端部１４ｂに向かって、通気孔１１の内面から突出するように設けられている。その弁体片１４は、宛がい部１２や突出部１３と一体に成形されており、その素材がゴムや軟質の樹脂であるから、弁体片１４は呼気の流れによって揺動する。
【００３０】
さらに、その通気孔１１の内面には、図２（ａ）（ｂ）に示すように、全周に亘って連続する環状の凹部（溝部）１６が設けられている。なお、宛がい部１２の表面に設けられた多数の溝は、この面が傷病者の皮膚に触れた際のすべり止めである。
【００３１】
連結部材３０は、図５に示すように、その内部に筒軸方向に貫通する導入通気孔３１を設けた筒状部材３２と、その導入通気孔３１の一端側（使用時における傷病者側）の端部に設けられた弁座部３４とを有する。
【００３２】
筒状部材３２は、その外形が平面視長方形状を成す角筒状の部材であり、その一端は、マスク部材１０における通気孔１１内に、裏面側開口からぴったりと入り込む形状となっている。また、その他端は、マスク部材１０の裏面側開口から突出している。
【００３３】
このため、図３（ａ）から図３（ｂ）に示すように、連結部材３０の筒状部材３２の筒軸方向一端が、マスク部材１０における通気孔１１の裏面側開口に嵌めて固定されることで、導入通気孔３１と通気孔１１とは連通している。
【００３４】
このように人工呼吸用補助具４０が組み立てられた状態で、図１（ｃ）や図３（ｂ）に示すように、マスク部材１０の弁体片１４が、連結部材３０の弁座部３４の一端側（傷病者側）に向く面に接離可能となって、救護者側から傷病者側への呼気の流れのみを許容する逆止弁として機能する。
【００３５】
この固定の際に、連結部材３０は、筒状部材３２の外面に全周に亘って連続する環状の凸部３３を有している。
【００３６】
この凸部３３が、マスク部材１０の凹部１６に入り込むことで、連結部材３０とマスク部材１０とが抜け止めされている。マスク部材１０を可撓性を有する部材で構成したので、マスク部材１０を連結部材３０の一端に嵌め込み固定する際に、マスク部材１０は弾性変形が可能であり、このような凸部３３と凹部１６による係合が容易に可能である。
【００３７】
また、逆止弁を構成するための弁体片１４がマスク部材１０に一体であり、その弁体片１４は、連結部材３０の嵌め込みによって自然と弁座部３４に対する位置が決まるから、この点においても組み立てが容易である。
【００３８】
また、図３（ｂ）に示すように、マスク部材１０における通気孔１１の裏面側開口の縁部１５はその全周に亘ってやや突出して形成されており、通気孔１１周囲の剛性が高められている。
【００３９】
この人工呼吸補助具４０の作用を説明すると、救護者は、図８に示すように、連結部材３０の他端を口に入れて、その連結部材３０の導入通気孔３１に呼気を吹き込む。呼気は、導入通気孔３１、そして、マスク部材１０の通気孔１１を通じて、傷病者の口から肺へ送り込まれる。
【００４０】
このとき、呼気が、導入通気孔３１、通気孔１１へ流入することで、弁体片１４が、図６（ａ）で実線で示す位置から鎖線で示す位置へと揺動し、傷病者側への呼気の流れが許容される。
【００４１】
また、図６（ｂ）に矢印で示すように、傷病者側から救護者側への空気や液体、固形物、その他異物の流れが生じた際には、弁体片１４が、図６（ｂ）で実線で示す位置から鎖線で示す位置へと揺動し、救護者側への流れが阻止される。
【００４２】
さらに、連結部材３０の変形例として、図７に示すものもある。この例では、弁体片１４が接離する弁座の構成を、弁体片１４の通気孔１１内面側への付け根部分（根元部１４ａ）を除く３方に配置したものである。
【００４３】
すなわち、図７（ｄ）に示すように、弁体片１４の先端部分（先端部１４ｂ）は、弁座部３４の傷病者側に向く面に接離可能であり、弁体片１４の先端部分と付け根部分とを結ぶ方向の両側の縁（長辺の縁）は、連結部材３０の側壁に設けた側方弁座部３５に接離可能である。弁体片１４と弁座との接触延長が増えるので、逆止弁の機能がより効果的である。
【００４４】
また、図７（ｄ）中に実線で示す状態と鎖線で示す状態とに弁体片１４が接離（開閉）動作する際には、その動きが、両側のガイド壁部３６に案内されるので、開閉動作がよりスムーズになる。
【符号の説明】
【００４５】
１，４０  人工呼吸用補助具
２  マスク部材
３  マウスピース部
４  弁体
５  給気口
６  排気口
７  弁座
１０  マスク部材
１１  通気孔
１２  宛がい部
１３  突出部
１４  弁体片
１５  縁部
１６  凹部
３０  連結部材
３１  導入通気孔
３２  筒状部材
３３  凸部
３４  弁座部
３５  側方弁座部
３６  ガイド壁部
【図１】
0005631103.tif 000002
【図２】
0005631103.tif 000003
【図３】
0005631103.tif 000004
【図４】
0005631103.tif 000005
【図５】
0005631103.tif 000006
【図６】
0005631103.tif 000007
【図７】
0005631103.tif 000008
【図８】
0005631103.tif 000009
【図９】
0005631103.tif 000010